(57)【要約】【課題】携帯機器の消費電流を少なくする。【解決手段】基地局８０から送信される電波を受信するとともにベースバンド処理部５３の入力に接続された携帯電話送受信部３４を設け、基地局８０から送信される位置情報が変わったとき、制御部５４から選局データを出力してチューナ部５２でテレビ放送波を順次スキャンし、その時受信した夫々の前記テレビ放送波の電波受信品質の情報に基づいて、ダブルバランスミキサ４９とイメージリジェクションミキサ５０とをスイッチ２２，２４，２７で切り替えるものである。これにより、所期の目的を達成することができる。【選択図】図１
2006042112.tif 000002
【特許請求の範囲】
【請求項１】
テレビ放送波と位置情報発信局から送信される電波を受信するとともに、携帯可能なケースに収納された携帯機器であって、前記携帯機器は前記テレビ放送波を受信する第１のアンテナと、この第１のアンテナに接続されるとともに、複数の前記テレビ放送波を受信して選局するチューナ部と、このチューナ部の出力に接続されたベースバンド処理部と、このベースバンド処理部の出力に接続された表示器と、前記位置情報発信局から送信される電波を受信する第２のアンテナと、この第２のアンテナに接続されるとともにその出力が前記ベースバンド処理部の入力に接続された位置情報送受信部と、前記チューナ部と前記ベースバンド処理部に夫々接続された制御部とを備え、前記位置情報送受信部の出力を前記制御部に接続し、前記位置情報発信局から送信される位置情報が変わったとき、前記制御部から選局データを出力して前記チューナ部で前記テレビ放送波を順次スキャンし、その時受信した夫々の前記テレビ放送波の電波受信品質の情報に基づいて、低消費電流回路と通常消費電流回路とを切り替える切り替え手段を設けた携帯機器。
【請求項２】
通常電流消費回路として、イメージリジェクションミキサを用いるとともに、低消費電流回路としてはダブルバランスミキサを用い、受信チャンネルにイメージ信号が有る場合には、前記イメージリジェクションミキサを用いる請求項１に記載の携帯機器。
【請求項３】
ダブルバランスミキサは、イメージリジェクションミキサの一方の混合器を用いた請求項２に記載の携帯機器。
【請求項４】
イメージリジェクションミキサの入力にイメージ除去フィルタが挿入された請求項２に記載の携帯機器。
【請求項５】
第１のアンテナと第２のアンテナとを共用化して共通アンテナとするとともに、この共通アンテナから分配器を介してチューナ部と位置情報送受信部に夫々出力を供給する請求項１に記載の携帯機器。
【請求項６】
同一放送エリア内では、放送電波が存在しているチャンネルのみスキャンする請求項１に記載の携帯機器。
【請求項７】
放送エリアが変わった場合には、系列チャンネルの放送に切り替えて受信する請求項１に記載の携帯機器。
【請求項８】
受信品質の情報を複数個並べて表示器に表示する請求項１に記載の携帯機器。
【請求項９】
電波受信品質の情報を夫々のテレビ放送波毎に表示面積の大小或いは色彩を異にすることにより、その良否の程度を表示する請求項８に記載の携帯機器。
【請求項１０】
電波受信品質の情報として、ベースバンド処理部から出力されるＣ／Ｎ信号又はＳ／Ｎ信号を用いる請求項８に記載の携帯機器。
【請求項１１】
制御部に入力部を接続し、この入力部からの選局操作で表示器に表示された表示の中から希望するテレビ放送波を指定する請求項８に記載の携帯機器。
【請求項１２】
入力部からの停止操作で表示器をテレビ視聴前の状態に戻したのち、チューナ部の電源をオフする請求項１１に記載の携帯機器。
【請求項１３】
位置情報送受信部として携帯電話送受信部を用いた請求項１１に記載の携帯機器。
【請求項１４】
可動により重合状態と非重合状態を形成できる第１、第２のケースを用いるとともに前記第１のケース内に設けられた携帯電話送受信部及び制御部と、前記第２のケース内に設けられたチューナ部とベースバンド処理部及び表示器とが備えられた請求項１３に記載の携帯機器。
【請求項１５】
第１、第２のケースは、一端側のヒンジ部を介して開閉自在とし、前記第１のケースの前記第２のケース対向面には入力部を設け、前記第２のケースの前記第１のケース対向面には表示器が設けられた請求項１４に記載の携帯機器。
【請求項１６】
第２のケースに設けられた表示器の裏側にはサブ表示器が設けられた請求項１４に記載の携帯機器。
【請求項１７】
第１、第２のケースの重合状態ではサブ表示器に表示され、前記第１、第２のケースを非重合状態にすると表示器に切り替えられる請求項１６に記載の携帯機器。
【発明の詳細な説明】
【技術分野】
【０００１】
本発明は、テレビ放送波と位置情報発信局から送信される電波を受信するとともに、携帯可能なケースに収納された携帯機器に関するものである。
【背景技術】
【０００２】
以下、従来のテレビ放送波を受信する携帯機器について説明する。図２２は、従来の携帯機器の平面図である。図２２において、１は携帯可能なケースであり、このケース１の表面の上部には表示器２が配置され、下部にはキーボード３が配置されている。４は、ケース１の上端に設けられたアンテナである。
【０００３】
図２３は、この携帯機器のブロック図である。図２３において、テレビ放送波を受信するアンテナ４がチューナ部５に接続されている。このチューナ部５の出力は、ベースバンド処理部６に接続されており、その出力はドライバ７を介して表示器２に接続されている。また、８は制御部であり、チューナ部５とキーボード３とに接続されている。
【０００４】
以上のように構成された携帯機器において、キーボード３から視聴したいチャンネル（放送局名でも良い）を入力する。そうすると、制御部８から選局データが出力される。そうして、チューナ部５ではこの選局データに基づいて選局される。即ち、アンテナ４から入力された複数のテレビ放送波の中から選択された放送局の信号のみが選局されるとともにベースバンド信号に変換される。
【０００５】
その後ベースバンド処理部６で復調され、テレビ信号に変換される。そして、このビデオ信号はドライバ７を介して表示器２に表示される訳である。即ち、キーボード３で選択したテレビ放送波を表示器２で楽しむことができるようになっている。
【０００６】
なお、この出願の発明に関連する先行技術文献情報としては、例えば、特許文献１、特許文献２が知られている。
【特許文献１】特開２００３−０２３６６３号公報
【特許文献２】特開２００４−１１２８０６号公報
【発明の開示】
【発明が解決しようとする課題】
【０００７】
しかしながら携帯機器の性質上、これを携帯して移動するため、テレビ電波の受信状況が悪い場所で視聴することも多くある。このような場所では希望するチャンネルを指定しても、電波状況が悪いため視聴できないこともあった。
【０００８】
これを解決するためには、高感度・高性能の携帯機器が必要となるが、このような高感度・高性能の携帯機器は一般的に消費電力が多くなり、携帯機器としてはあまり好ましいものではなかった。
【０００９】
そこで本発明は、消費電力の少ない携帯機器を提供することを目的としたものである。
【課題を解決するための手段】
【００１０】
そしてこの目的を達成するために本発明は、位置情報発信局から送信される電波を受信するとともにベースバンド処理部の入力に接続された位置情報送受信部を設け、前記位置情報発信局から送信される位置情報が変わったとき、制御部から選局データを出力してチューナ部でテレビ放送波を順次スキャンし、その時受信した夫々の前記テレビ放送波の電波受信品質の情報に基づいて、低消費電流回路と通常消費電流回路とを切り替える切り替え手段を設けたものである。これにより、所期の目的を達成することができる。
【発明の効果】
【００１１】
以上のように本発明は、位置情報発信局から送信される電波を受信するとともにベースバンド処理部の入力に接続された位置情報送受信部を設け、前記位置情報発信局から送信される位置情報が変わったとき、制御部から選局データを出力してチューナ部でテレビ放送波を順次スキャンし、その時受信した夫々の前記テレビ放送波の電波受信品質の情報に基づいて、低消費電流回路と通常消費電流回路とを切り替える切り替え手段を設けたものである。
【００１２】
以上の構成とすれば、低消費電流回路と通常消費電流回路とを電波受信品質に応じて切り替える切り替え手段を有しているので、携帯機器の省電力化を図ることができる。
【００１３】
また、位置情報発信局から送信される位置情報が変わったとき、テレビ放送波をスキャンするので、例えば、電波強度が殆ど変わらないのにスキャンをすることは無く、携帯機器の省電力化を図ることができる。
【００１４】
更に、テレビ電波の受信状況が悪い場所でも、スキャンしたときのテレビ放送波の電波受信品質の情報に基づいて、低消費電流回路から高感度・高性能の通常消費電流回路に切り替え手段で切り替えることができるので、良好なテレビ放送を楽しむことができる。
【発明を実施するための最良の形態】
【００１５】
（実施の形態１）
以下、本発明の実施の形態について、図面を用いて説明する。図１は、本実施の形態における携帯機器のブロック図である。図１において、１１はデジタル放送波が入力されるアンテナである（なお、後述する実施の形態４においては、このアンテナ１１にアナログ放送波が入力される。）。このアンテナ１１は入力フィルタ１２に接続されている。この入力フィルタ１２の出力は高周波自動利得制御器（以下、ＲＦＡＧＣという）１３を介して同調フィルタ１４に接続されている。
【００１６】
この同調フィルタ１４の出力は、電子回路で形成された切り替えスイッチ（切り替え手段の一例として用いた）１５の共通端子に接続されている。この切り替えスイッチ１５の一方の端子はイメージ周波数を除去するイメージ除去フィルタ１６を介して切り替えスイッチ１７の一方の端子に接続されている。また、切り替えスイッチ１５と１７の他方の端子同士は直接接続されている。
【００１７】
切り替えスイッチ１７の共通端子は、第１の混合器１８の一方の入力に接続されるとともに他方の入力には局部発振器１９の出力が接続されている。また、この局部発振器１９の出力はＰＬＬ（フェーズロックループ）回路２０の一方の入力に接続されており、他方の入力には基準発振器（図示せず）が接続されている。そして、このＰＬＬ回路２０の出力は局部発振器１９の入力と同調フィルタ１４とイメージ除去フィルタ１６の制御端子に接続されている。また、混合器１８の出力は加算器２１の一方の入力に接続されている。
【００１８】
また、切り替えスイッチ１７の共通端子は電子回路で形成されたスイッチ（切り替え手段の一例として用いた）２２を介して第２の混合器２３の一方の入力に接続されている。この混合器２３の他方の入力には、局部発振器１９の出力がスイッチ２４と移相器２５を介して接続されている。また、混合器２３の出力は移相器２５とスイッチ２７とを介して加算器２１の他方の端子に接続されている。この移相器２５と２６は共に９０度位相をシフトさせるものである。
【００１９】
加算器２１の出力は中間周波数フィルタ（以下、ＩＦフィルタという）２８に接続されている。そして、このＩＦフィルタ２８の出力は中間周波数自動利得制御器（以下、ＩＦＡＧＣという）２９を介してレベル検出器３０に接続されている。このレベル検出器３０の出力はＯＦＤＭ（直交波分割多重）復調器３１の一方の入力に接続されるとともにＲＳＳＩ（電波の受信強度であり、ノイズと信号が合算された値）検出器３２の入力に接続されている。また、レベル検出器３０の出力はＲＦＡＧＣ１３とＩＦＡＧＣ２９の制御端子にも接続されている。
【００２０】
３３は携帯電話用のアンテナであり、携帯電話送受信部（位置情報送受信部の一例として用いた）３４を介してＯＦＤＭ復調器３１の他方の入力に接続されている。このＯＦＤＭ復調器３１の出力は誤り訂正回路３５を介して復号回路（デコーダ）３６に接続されている。また、誤り訂正回路３５の出力はＣ／Ｎ（キャリア対ノイズ比）検出器３７にも接続されている。
【００２１】
３８はスピーカであり、復号回路３６の出力に接続されている。なお、このスピーカ３８はイヤホーンであっても良い。また、復号回路３６の出力はドライバ３９を介して表示器４０が接続されている。この表示器４０には液晶を用いている。なお、これはプラズマディスプレイ、発光ダイオード等であっても良い。
【００２２】
４１は制御器であり、バス制御器４２を介してバスライン４３に接続されている。そして、このバスライン４３は選局回路４４を介してＰＬＬ回路２０のデータ端子に接続されている。また、ＲＳＳＩ検出器３２の出力はＡ／Ｄ変換器４５を介してバスライン４３に接続されている。また、Ｃ／Ｎ検出器３７の出力は直接バスライン４３に接続されている。
【００２３】
４７はキーボード（入力部の一例として用いた）であり、制御器４１に接続されている。なお、入力部としてはこの外にライトペン、タッチパネル、音声入力器等の使用することができる。４８はメモリであり、制御器４１に接続されている。
【００２４】
ここで、第１の混合器１８と局部発振器１９及びＰＬＬ回路２０とでダブルバランスミキサ（低消費電流回路の一例として用いた）４９を形成している。また、このダブルバランスミキサ４９と第２の混合器２３と移相器２５，２６とでイメージリジェクションミキサ（通常消費電流回路の一例として用いた）５０を形成している。
【００２５】
また、切り替えスイッチ１５，１７とスイッチ２２，２４，２７とで切り替え手段５１を形成しており、全て電子回路で形成されている。この切り替え手段５１を実線方向に切り替えると、ダブルバランスミキサ４９となり、切り替え手段５１を点線方向に切り替えると、イメージリジェクションミキサ５０となる。
【００２６】
入力フィルタ１２、ＲＦＡＧＣ１３、同調フィルタ１４、イメージリジェクションミキサ５０、ＩＦフィルタ２８とでチューナ部５２を形成している。
【００２７】
ＩＦＡＧＣ２９、レベル検出器３０、ＯＦＤＭ復調器３１、ＲＳＳＩ検出器３２、誤り訂正回路３５、復号回路３６、Ｃ／Ｎ検出器３７とでベースバンド処理部５３を形成している。
【００２８】
また、制御器４１、バス制御器４２、バスライン４３、選局回路４４、Ａ／Ｄ変換器４５、メモリ４８とで制御部５４を形成している。
【００２９】
携帯電話送受信部３４は、図２に示す構成となっている。即ち、携帯電話用アンテナ３３は送受切替器５５に接続されており、この送受切替器５５の一方の端子は低雑音増幅器５６を介して混合器５７の一方の入力に接続されている。
【００３０】
この混合器５７の他方の入力には局部発振器５８の出力が接続されており、この局部発振器５８には、水晶発振器５９が接続されたＰＬＬ回路６０が接続されている。
【００３１】
混合器５７の出力はバンドパスフィルタ６１を介して混合器６２の一方の入力に接続されている。また、この混合器６２の他方の入力には局部発振器６３の出力が接続されている。そして、混合器６２の出力は復調器６４に接続されており、この復調器６４の出力は制御部５４（図１参照）の制御器４１の入力に接続されている。そして、表示器４０とスピーカ３８に出力される。
【００３２】
６５は、マイクロフォンであり、このマイクロフォン６５は変調器６６を介して混合器６７の一方の入力に接続されている。また、この混合器６７の他方の入力には局部発振器５８の出力が接続されている。そして、この混合器６７の出力は電力増幅器６８を介して送受切替器５５の他方の端子に接続されている。
【００３３】
なお、アンテナ１１とアンテナ３３とは、図３に示すように、一本のアンテナに共用化することができる。この共用化した共用アンテナ１０は分配器６９に接続されており、この分配器６９の一方の出力６９ａはチューナ部５２の入力フィルタ１２に接続されるとともに、他方の出力６９ｂは携帯電話送受信部３４の送受切替器５５に接続されている。
【００３４】
なお、共用アンテナ１０は、長さが１０ｃｍ程度のものであるが、分配器６９内でインダクタとキャパシタとで形成された整合器に接続されているので、テレビ放送波と、位置情報発信局から送信される電波の周波数に整合させることができる。このような一本の共用アンテナ１０を用いることにより、携帯機器としての利便性が更に向上する。
【００３５】
以上のように、本実施の形態における携帯機器は、切り替え手段５１でダブルバランスミキサ４９とイメージリジェクションミキサ５０とを切り替えることができるものである。即ち、受信チャンネルに対するイメージ信号が存在しない場合には、ダブルバランスミキサ４９を用いて携帯機器の低消費電流化を図ることができる。このダブルバランスミキサ４９を用いた回路を低消費電流回路とする。
【００３６】
また、受信チャンネルに対してイメージ妨害信号が存在する場合には、自動的にイメージリジェクションミキサ５０に切り替えてイメージ妨害信号を除去することができる。このイメージリジェクションミキサ５０を用いた回路を通常消費電流回路とする。また、このイメージリジェクションミキサ５０を用いた場合には、イメージ除去フィルタ１６も働かせることにより、更なるイメージ妨害信号の影響を低減している。
【００３７】
このイメージ妨害信号は、図４に示すように、局部発振器１９から出力される局部発振信号７３の上方と下方に中間周波数７２ａだけ離れた周波数がＩＦフィルタ２８を通過することができる。従って、希望周波数７１ａを受信するために局部発振周波数７３ａとする。このとき、この局部発振周波数７３ａより更に中間周波数７２ａだけ高い周波数のところにイメージ妨害信号７４があると、このイメージ妨害信号７４も中間周波数７２ａとしてＩＦフィルタ２８から出力されることになる。
【００３８】
即ち、（数１）に示すように、希望周波数７１ａの２倍の中間周波数７２ａがイメージ妨害信号７４ａとなる。
【００３９】
【数１】
2006042112.tif 000003
【００４０】
図５において、例えば７５ａを中間周波数４５ＭＨｚとする。そして、多くの受信可能周波数の内１００ＭＨｚの希望周波数７１ａを受信したとする。このとき、この希望周波数７１ａから中間周波数７５ａの２倍にあたる１９０ＭＨｚの所に信号７４が存在すると、この信号７４がイメージ妨害信号となって、希望信号７１とともに出力される訳である。
【００４１】
即ち、１００ＭＨｚの希望信号７１を受信するには、局部発振周波数７３ａは希望周波数７１ａより４５ＭＨｚ離れた１４５ＭＨｚにしなければならない。この場合、この局部発振周波数７３ａより更に４５ＭＨｚ離れた１９０ＭＨｚの位置に妨害信号７４が有ると、この妨害信号７４の周波数７４ａが希望信号７１のイメージ妨害信号７４となる。以上のようにして、希望信号７１に対する妨害信号７４は夫々計算で求めることができるものである。図５における、横軸７６は周波数であり、縦軸７７は信号レベルである。
【００４２】
図６は、携帯電話の基地局（位置情報発信局の一例として用いた。なお、位置情報発信局はこの外にＧＰＳ局等がある）８０のサービスエリア８１の配置図である。このサービスエリア８１の最長辺８２は３００ｍから１．５ｋｍである。そして、このサービスエリア８１内に在る携帯電話に対して基地局８０からその基地局８０の位置情報を送信している。
【００４３】
そこで、本実施の形態における携帯機器は、基地局８０から送信される位置情報が変わった時点（一のサービスエリア８１ａから隣のサービスエリア８１ｂに移動した時点）で移動による受信状況の変化を調査（スキャン）している。即ち、テレビ放送波を順次スキャンし、その時受信した夫々のテレビ放送波の電波受信品質の情報を得て、後述するメモリ４８内のメモリマップに格納する。このとき、受信可能なテレビ放送波に対して、このテレビ放送波に対応するイメージ妨害信号７４があれば、その情報も格納される。
【００４４】
また、同一のテレビ放送エリア８３ａ或いは８３ｂ内においては、全てのチャンネルをスキャンする必要は無く、放送されているテレビ放送波のみスキャンして、メモリ４８内のメモリマップに格納しておけば良い。なお、各テレビ放送エリア８３内で、存在しているテレビ放送チャンネルは予めメモリマップ内のテーブルに登録されている。このことにより、省電力化と高速化を図ることができる。
【００４５】
また、テレビ放送エリア８３ａから８３ｂに移動した場合には、対応する系列放送局の受信に切り替えることもできる。この対応する系列放送局のチャンネルもメモリマップに格納している。このことにより、携帯機器を有した視聴者がテレビ放送エリア８３ａから８３ｂに移動しても手動によるチャンネル切り替えを行うことなく、同一の番組を楽しむことができる。
【００４６】
このように構成された携帯機器について以下にその動作を図１を用いて説明する。アンテナ１１に入力されたデジタルテレビ電波は、同調フィルタ１４及びイメージリジェクションミキサ５０又はダブルバランスミキサ４９とＩＦフィルタ２８で選局される。
【００４７】
即ち、キーボード４７で視聴希望放送のチャンネル番号（放送局名でも良い）が選択されると、その信号は制御器４１から選局回路４４を介して希望チャンネルの選局データが出力され、この選局データはＰＬＬ回路２０に供給される。ＰＬＬ回路２０は局部発振器１９とで閉ループが形成されており、局部発振器１９の発振周波数を基準発振器と比較するなかで、局部発振器１９からは希望放送局に対応する周波数をダブルバランスミキサ４９或いはイメージリジェクションミキサ５０に出力する。
【００４８】
そして、この局部発振器１９の出力と入力周波数との差で中間周波数（略４５ＭＨｚ）が形成され、ＩＦフィルタ２８を通過させる。また、ＰＬＬ回路２０の出力電圧で同調フィルタ１４の中心周波数を制御して、視聴希望放送波が通過するようにしている。即ち、視聴希望周波数が選択される。なお、ここで、イメージリジェクションミキサ５０を用いているので、同調フィルタ１４は簡易なものであっても良い。
【００４９】
このようにしてチューナ部５２で選択された視聴希望周波数は次のベースバンド処理部５３に入力される。このベースバンド処理部５３では入力された信号を映像信号に復元して表示器４０に表示するものである。このようにして、携帯機器において、希望するテレビ放送を楽しむことができるものである。
【００５０】
また、入力された信号のレベルはレベル検出器３０で検出してＲＦＡＧＣ１３とＩＦＡＧＣ２９の利得を制御するとともに、ＲＳＳＩ検出器３２でそのレベルを検出する。このＲＳＳＩ検出器３２の出力はＡ／Ｄ変換器４５でデジタル量に変換されて制御器４１に入力される。これは、電波の受信強度レベルとイメージ妨害信号の有無を検出するものであり、その応答速度が速いという特徴を有する。しかし、ＲＳＳＩ検出器３２の出力はノイズも合算された電波の強さで電波受信品質を評価しているので、例えばノイズの強い信号でも電波受信品質としてあたかも良好な電波受信品質であるごとく高い（良い）値が出力される。
【００５１】
また、入力された信号の誤りは誤り訂正回路３５で訂正している。この誤り訂正回路３５の出力をＣ／Ｎ検出器３７でキャリアとノイズの比を計算する。そして、このＣ／Ｎ検出器３７の出力は制御器４１に入力される。これは、入力された信号の誤りを検出するものであり、その応答速度は遅いがその信号品質をノイズとの関係で検出することができる。従って、たとえ大きなレベルの信号であってもそのノイズレベルが大きければ、電波受信品質は低い（悪い）値を示す。
【００５２】
このようにして、選局回路４４からは選局データが低次チャンネルから順次ＰＬＬ回路２０に出力される。チューナ部５２で選局されるとアンテナ１１に入力されたテレビ放送波の強度レベルがＲＳＳＩ検出器３２から出力される。また、Ｃ／Ｎ検出器３７からはＣ／Ｎ情報が出力される。なお、後述する実施の形態４では、Ｃ／Ｎ検出器３７から出力されるＣ／Ｎ情報の代わりにＳ／Ｎ（信号対ノイズ比）検出器１６５から出力されるＳ／Ｎ情報を用いる。
【００５３】
また、本実施の形態における携帯機器は、携帯電話としても使用することができる。即ち、図２に示すように、携帯電話用の電波（略８００ＭＨｚ〜２ＧＨｚ）はアンテナ３３で受信され、この電波は混合器５７で局部発振器５８の発振周波数と混合された後、再び混合器６２で局部発振器６３の周波数と混合されてベースバンドに変換された後、復調器６４で復調される。そして、この信号はベースバンド処理部５３を介して、スピーカ３８に出力されるとともに、表示器４０に表示される。
【００５４】
また、マイクロフォン６５に入力された音声は変調器６６で変調された後、混合器６７で局部発振器５８の出力と混合されて搬送波となり、アンテナ３３から放射される。
【００５５】
このように、本実施の形態における携帯機器は、携帯テレビと携帯電話が同一のケースに収納されているので、有用な機器であり便利である。
【００５６】
図７は、制御器４１に接続されたメモリ４８に格納されるスキャン情報のメモリマップである。これは、選局回路４４から選局データを送出してその時その場所において得られた電波受信品質の情報を格納するものである。図７において、１０１はチャンネル番号が格納されるチャンネル番号格納領域である。１０２は前記チャンネル番号に対応した放送局名が格納されている放送局名格納領域である。
【００５７】
１０３，１０４，１０５，１０６にはスキャンにより、その時得られた電波受信品質の情報の格納領域であり、１０７は夫々の放送エリア８３に対応する系列放送のチャンネル情報の格納領域である。そして、夫々の値がチャンネル番号毎に対応して格納される。即ち、１０３にはＲＳＳＩ検出器３２で検出されたＲＳＳＩ情報が格納されており、１０４にはＣ／Ｎ検出器３７で検出されたＣ／Ｎ情報が格納されている。また、１０５にはその時得られた画像情報（１画面の情報）が格納されている。なお、１０５には画像情報を格納したアドレスのみを格納して、画像情報はメモリ４８の他の場所に格納しても良い。１０６は、チャンネル番号に対応したイメージ妨害信号が有るか無いかを格納する領域であり、１０７はチャンネル番号に対応した系列チャンネル番号が格納された領域である。
【００５８】
次に、図８を用いて電波受信品質情報の表示を説明する。先ず、携帯機器と通信する基地局８０のサービスエリア８１（図６参照）の変更があったか否かを判定１１１する。変更が無ければこのルーチンをスキップする。変更があれば、携帯機器の制御部５４はチューナ部５２の電源をオンして、低位（チャンネル番号の低い）チャンネルから順次選局データを出力１１２する。
【００５９】
チューナ部５２では、選局データに該当するチャンネルを選局１１３する。これにより、チューナ部５２は選局データに該当するテレビ放送波を選局する。そして、このテレビ放送波の受信信号のレベルに応じたＲＳＳＩ情報がベースバンド処理部５３のＲＳＳＩ検出器３２から出力１１４される。また、ここで、先に受信した受信チャンネルに対応するイメージ妨害信号の有無を検査する。
【００６０】
このＲＳＳＩ情報はＡ／Ｄ変換器４５でデジタル量に変換される。そして、メモリ４８にチャンネル番号とともに、ＲＳＳＩ電圧格納領域１０３に格納１１５される。なお、このときチャンネル番号とともに放送局名も格納される。
【００６１】
また、このとき該当するイメージ周波数については、イメージ妨害周波数が有るか無いかを該当するチャンネル番号のイメージ妨害信号格納領域１０６に格納する。
【００６２】
次に、Ｃ／Ｎ検出器３７からＣ／Ｎ情報が送出される。そして、メモリ４８のチャンネル番号に関連するＣ／Ｎデータ領域１０４に格納１１６される。なお、このとき選局されたチャンネルの一画面分の画像データも画像データ格納領域１０５に格納される。
【００６３】
そして、次にスキャン（掃引）するチャンネルが有るか否かを判定１１７する。スキャンするチャンネルがあれば、次の選局データを制御部５４の選局回路４４から出力１１８して、ステップ１１３の先頭に戻る。ステップ１１７でスキャンするチャンネルが無い場合には、メモリ４８の夫々の格納領域からチャンネル番号、放送局名、ＲＳＳＩ情報、Ｃ／Ｎ情報、画像情報の内必要とする情報が制御部５４の制御器４１からドライバ３９に向かって送出１１９される。
【００６４】
そして、これらの情報に基づいて、表示器４０にチャンネル番号或いは放送局名とともに、電波受信品質の情報を複数個並べて表示１２０する。従って、どの放送局の画像を受信することができるか否かを、実際に操作者が順次選局ボタンを押下して確認する必要がない。また、この表示は表示面積の大きさ或いは、色彩でもその電波受信品質の良否の程度を表示することができる。なお、この表示パターンについては後述する。
【００６５】
以上の説明は、標準モードにおける表示であり、ＲＳＳＩ情報のみならずＣ／Ｎ情報も利用しているので、高品質の電波受信品質を表示することができる。なおここで、Ｃ／Ｎ情報を格納１１６するステップをスキップすると高速モードになり、高速の表示（標準モードの数倍の速さ）が可能となる。なお、後述する実施の形態４においては、Ｃ／Ｎ情報の代わりにＳ／Ｎ検出器１６５から出力されるＳ／Ｎ情報を用いる。
【００６６】
次に、図９を用いて、視聴希望チャンネルの選択を説明する。先ず、キーボード４７より、希望チャンネル（チャンネル番号でも放送局名でも良い）を選択１２１する。
【００６７】
そうすると、制御部５４の選局回路４４からチューナ部５２のＰＬＬ回路２０に向かって選局データが送出１２２される。このことにより、チューナ部５２では選局がなされ、視聴希望する放送局の電波が選択される。
【００６８】
そして、選択された放送局の信号はベースバンド処理部５３を介して、表示器４０に表示されるとともに、チャンネル番号或いは放送局名、ＲＳＳＩ情報、Ｃ／Ｎ情報、画像情報が必要に応じて表示１２３される。
【００６９】
また、このとき、視聴希望チャンネルにイメージ妨害信号が存在していれば、切り替え手段５１でチューナ部５２をイメージリジェクションミキサ５０に切り替える。視聴希望チャンネルにイメージ妨害信号が存在していなければ、切り替え手段５１でチューナ部５２をダブルバランスミキサ４９に切り替えて低消費電流回路とする。
【００７０】
なお、高速モードでは、Ｃ／Ｎ情報は表示されない。また、実施の形態４においては、Ｃ／Ｎ情報の代わりにＳ／Ｎ情報を用いる。
【００７１】
次に、図１０を用いて、視聴停止をする場合を説明する。先ず、キーボード４７より、視聴停止ボタンを押下１２４する。そうすると、制御部５４の制御器４１は表示器４０をテレビ視聴前の状態に戻す信号をドライバ３９に向けて出力する。そして、表示器４０の表示をテレビ視聴前の状態１２５に戻す。次に、チューナ部５２の電源をオフ１２６する。これは省電力化に効果がある。
【００７２】
（実施の形態２）
実施の形態２においては、本発明の携帯機器のケースへの実装について述べる。図１１、図１２において、１３１は第１のケースで、その上端側にはヒンジ部１３２を介して第２のケース１３３が開閉自在に設けられている。図１１は、第１、第２のケース１３１，１３３を開放した状態を示している。図１２は第２のケース１３３が閉成された状態を示しており、第２のケース１３３はその下端側のヒンジ部１３２を介して第１のケース１３１上へ閉成される。この状態においては、第１、第２のケース１３１，１３３が重合状態となり、コンパクトで携帯性に優れたものとなる。
【００７３】
第１のケース１３１内には、図１、図２で示す電話用アンテナ３３、携帯電話用送受信部３４、制御部５４及びマイクロフォン６５が設けられている。
【００７４】
一方、第２のケース１３３の第１のケース１３１への重合面には、表示器４０が表出して設けられている。また、この表示器４０の背面側となる第２のケース１３３内には、チューナ部５２、ベースバンド処理部５３、スピーカ３８、テレビ用のアンテナ１１が設けられている。このアンテナ１１は、図示していないが、図１１（図１２にも示しているが以後図１１で代表して説明する）の状態から第２のケース１３３外に引き伸ばすことができる。もちろん使用後はこのアンテナ１１を図１１に示すごとく、縮めてその大部分を第２のケース１３３に収めることができるようになっている。
【００７５】
なお、図１２において、１３４は第２のケース１３３に設けられたサブ表示器である。このサブ表示器１３４は、表示器４０が装着された面と反対側の面に表出して装着されている。従って、第２のケース１３３は、第１、第２のケース１３１，１３３を開放した場合には表示器４０が表れ、第１、第２のケース１３１，１３３を閉成した場合にはサブ表示器１３４が表れることになる。
【００７６】
また、第１のケース１３１の第２のケース１３３側の面には図１１に示すごとく各種キーボード４７が設けられており、このキーボード４７の背面側に上記携帯電話送受信部３４及び制御部５４が設けられている。更に、ヒンジ部１３２の第１、第２のケース１３１，１３３側には夫々シールド面（図示せず）が設けられている。
【００７７】
なお、携帯電話送受信部３４内には、図２に示すように、携帯電話用復調器６４や変調器６６が設けられている。
【００７８】
図１１は、電話をするため、或いはテレビを見るために第２のケース１３３を第１のケース１３１上に開放した状態を示している。例えば、テレビを見るときを例にして説明すると、先ず、アンテナ１１を第２のケース１３３上に引き伸ばし、次に、キーボード４７を操作して、テレビ関係部分を駆動する。
【００７９】
希望するチャンネルは、キーボード４７によって入力されチューナ部５２で選局され、ベースバンド処理部５３を介し、映像は、表示器４０で表示され、音声は、スピーカ３８から放出されることになる。なお、後述する実施の形態４においては、ベースバンド処理部５３の代わりにベースバンド処理部１６０となる。
【００８０】
以上のようにして、使用者はテレビ番組を楽しむことができるが、このとき、携帯電話送受信部３４は、上述したテレビを見る見ないに係らず動作状態にある。即ち、携帯電話送受信部３４からは、自位置を固定局に定期的に電話用アンテナ３３から電波を発信している。もちろん、通話中には、適宜、送信・受信が電話用アンテナ３３から行われている。
【００８１】
つまり、テレビを見ているときは、或いは電話をしているときでなくてもテレビ機能と電話機能が起動状態にあるのであるが本実施の形態においては、いかなる場合においてもテレビ用信号と電話用信号が混信することが極めて少なく、適切なテレビ視聴・通話が楽しめるものである。
【００８２】
その理由の一つとしては、携帯電話送受信部３４を第１のケース１３１内に、また、チューナ部５２を第２のケース１３３に分離して配置したからである。つまりこのように分離して配置すれば、携帯電話送受信部３４と、チューナ部５２の物理的距離が遠くなり、この結果として、両者間における混信が極めて少なくなる。
【００８３】
また、このように、携帯電話送受信部３４とチューナ部５２を第１、第２のケース１３１，１３３に分離しただけではなく、ヒンジ部１３２の両側にシールド面を設けたことで、更にこれらの両者間の混信が少なくなるものである。
【００８４】
また、このようにシールド面を設けた結果、テレビ用のアンテナ１１と電話用アンテナ３３の受信感度を高めることができるようになる。これは、アースの強化に伴うミラー効果によるものである。
【００８５】
なお、上記実施の形態においては、第１、第２のケース１３１，１３３をヒンジ部１３２を介して開閉自在とすることによって、第１、第２のケース１３１，１３３の重合状態から非重合状態への形態変化をさせたが、第１、第２のケース１３１，１３３の何れか一方をスライドさせることによって、重合状態、非重合状態を形成するようにしても良い。更に、第１、第２の何れか一方を水平方向に開閉することによって、重合状態、非重合状態を形成しても良い。
【００８６】
（実施の形態３）
実施の形態３では、本発明の携帯機器における電波受信品質の表示について述べる。図１３から図１７はサブ表示器１３４に表示される画面１４１の例である。
【００８７】
図１３は、サブ表示器１３４の待ち受け時の画面１４１を示す。この状態において、携帯機器の移動により、基地局８０の変更があると図８のフローチャートで説明したように低位のチャンネルからスキャンを開始し、その時のその場所における電波受信品質を図１４のように帯状に表示する。
【００８８】
図１４において、１４２は低位チャンネルから一列に並んだチャンネル番号である。そして、このチャンネル番号１４２に対応して、その場所におけるその時の電波受信品質１４３を示している。この電波受信品質１４３は棒グラフ状に表示している。即ち、電波受信品質１４３が良いほど表示面積を大きくしている。
【００８９】
図１４においては、ＣＨ１５が一番表示面積が大きく電波受信品質１４３が良いことを示している。また、ＣＨ１８は表示されていない。即ち、この場所においてはＣＨ１８は受信できないことを示している。
【００９０】
この画面１４１において、電波受信品質１４３ａは何とか受信できる状態を示し、電波受信品質１４３ｂは普通に受信できる状態を示している。また、電波受信品質１４３ｃは良好に受信できる状態を示している。なお、電波受信品質１４３ａ，１４３ｂ，１４３ｃに応じて色彩を変えても良い。例えば、電波受信品質１４３ａは赤、電波受信品質１４３ｂは黄、電波受信品質１４３ｃは青にしておけば色彩のみで、電波受信品質１４３を表示することができる。
【００９１】
この状態において、チャンネルボタン１３５（図１２参照）を押下すると図１５に示すようにカーソル１４４が押下の度に順次移動する。そして、視聴したいチャンネルで長く押下すると図１６に示すように、画面１４１にテレビ画面１４５が表示される。
【００９２】
なお、図１７に示すように、電波受信品質を静止画像としてサムネイル表示１４６しても良い。また、第２のケース１３３を開放すれば、このサブ表示器１３４の表示は表示器４０に切り替わる。表示器４０はサブ表示器１３４に比べて大画面である。
【００９３】
図１８は、第２のケース１３３を開放した場合であり、電波受信品質１４３とテレビ画像とは表示器４０に同時に表示される。即ち、表示器４０の画面１５０の上方１５１はテレビ放送の画像が表示される位置であり、下方の１５２にはチャンネル番号が表示され、このチャンネル番号１５２の上方１５３にはチャンネル番号に対応した電波受信品質１４３が表示される。これは、サブ表示器１３４での表示と同じである。なお、このときの操作は、チャンネルボタン１３５ａ（図１１参照）のみならずキーボード４７で行うこともできる。
【００９４】
この状態において、チャンネルボタン１３５ａを押下すると図１９に示すようにカーソル１５４が押下の度に順次移動する。そして、視聴したいチャンネルにカーソル１５４が移動したら、その位置でチャンネルボタン１３５ａを長く押下する。そうすると図２０に示すように、画面１５０にテレビ画面１５５が表示される。
【００９５】
このとき下方１５６には、受信しているチャンネル番号と電波受信品質１４３が表示されている。なお、これは図１９に示すように全てのチャンネル番号と電波受信品質１４３を表示しても良い。
【００９６】
また、この携帯機器は電波受信品質１４３を表示しているので、たとえ電波受信品質１４３が悪くても、携帯機器を移動することにより、目視しながら電波受信品質１４３を良化させることができる。
【００９７】
（実施の形態４）
図２１は本発明の実施の形態４における携帯機器のブロック図である。実施の形態４は、アナログ放送波を受信するものであり、ベースバンド処理部１６０が実施の形態１と異なる。従って、ベースバンド処理部１６０とその周辺のみを説明する。なお、実施の形態１と同じ構成には、同番号を付して説明を簡略化している。
【００９８】
図２１において、アンテナ１１にはアナログ放送波が入力され、このアナログ放送波はチューナ部５２に入力される。このチューナ部５２の出力は、ＩＦＡＧＣ２９に接続されている。また、このＩＦＡＧＣ２９の出力は、レベル検知器３０に接続され、このレベル検知器３０の出力は映像検波器１６１に接続されるとともに、ＲＳＳＩ検出器３２にも接続されている。
【００９９】
また、映像検波器１６１の出力はビデオ信号処理器１６２に接続されており、このビデオ信号処理器１６２の出力はドライバ３９を介して表示器４０に接続されている。このよにして表示器４０に映像が表示される。また、音声に関しては映像検波器１６１の出力が音声検波器１６３に接続され、その出力は音声信号処理器１６４を介してスピーカ３８に接続されている。
【０１００】
また、映像検波器１６１の出力はＳ／Ｎ検出器１６５に接続され、その出力はＡ／Ｄ変換器４６を介してバスライン４３に接続されている。また、携帯電話送受信部３４の出力は制御部５４の制御器４１の入力に接続されている。そして、表示部４０とスピーカ３８に出力される。
【０１０１】
ここでベースバンド処理部１６０は、ＩＦＡＧＣ２９、レベル検知器３０、ＲＳＳＩ検出器３２、映像検波器１６１、ビデオ信号処理器１６２、音声検波器１６３、音声信号処理器１６４、Ｓ／Ｎ検出器１６５で構成されている。
【０１０２】
本実施の形態によるベースバンド処理部１６０と実施の形態１のベースバンド処理部５３の双方を同一ケース内に実装することもできる。そうすれば、スイッチにより切り替えることでデジタル放送と、アナログ放送の両方を受信することができる。
【０１０３】
なお、動作については実施の形態１と略同様である。しかし、電波受信品質の抽出として、実施の形態１ではＣ／Ｎ情報を用いていることに対し、実施の形態４ではＳ／Ｎ情報を用いている点で相違する。なお、ＲＳＳＩ情報の抽出については実施の形態１と同様である。
【産業上の利用可能性】
【０１０４】
本発明にかかる携帯機器は、消費電流を少なくすることができるので、携帯機器として有用である。
【図面の簡単な説明】
【０１０５】
【図１】本発明の実施の形態１における携帯機器のブロック図
【図２】同、携帯電話送受信部のブロック図
【図３】同、他の例によるアンテナとその近傍のブロック図
【図４】同、イメージ妨害信号の発生説明図
【図５】同、受信帯域におけるイメージ妨害説明図
【図６】同、基地局の配置図
【図７】同、メモリマップを示す図
【図８】同、チャンネルスキャンのフローチャート
【図９】同、チャンネル選局のフローチャート
【図１０】同、視聴停止のフローチャート
【図１１】実施の形態２における携帯機器の開放時の斜視図
【図１２】同、閉成時の斜視図
【図１３】実施の形態３における携帯機器のサブ表示器による第１の状態図
【図１４】同、第２の状態図
【図１５】同、第３の状態図
【図１６】同、第４の状態図
【図１７】同、他の例におけるサブ表示器の状態図
【図１８】同、表示器による第１の状態図
【図１９】同、第２の状態図
【図２０】同、第３の状態図
【図２１】実施の形態４における携帯機器のブロック図
【図２２】従来の携帯機器の平面図
【図２３】同、ブロック図
【符号の説明】
【０１０６】
１１  アンテナ
２２  スイッチ
２４  スイッチ
２７  スイッチ
３３  アンテナ
３４  携帯電話送受信部
４０  表示器
４９  ダブルバランスミキサ
５０  イメージリジェクションミキサ
５１  切り替え手段
５２  チューナ部
５３  ベースバンド処理部
５４  制御部
８０  基地局
１３１  第１のケース
１３３  第２のケース
１４３  電波受信品質
【図１】
2006042112.tif 000004
【図２】
2006042112.tif 000005
【図３】
2006042112.tif 000006
【図４】
2006042112.tif 000007
【図５】
2006042112.tif 000008
【図６】
2006042112.tif 000009
【図７】
2006042112.tif 000010
【図８】
2006042112.tif 000011
【図９】
2006042112.tif 000012
【図１０】
2006042112.tif 000013
【図１１】
2006042112.tif 000014
【図１２】
2006042112.tif 000015
【図１３】
2006042112.tif 000016
【図１４】
2006042112.tif 000017
【図１５】
2006042112.tif 000018
【図１６】
2006042112.tif 000019
【図１７】
2006042112.tif 000020
【図１８】
2006042112.tif 000021
【図１９】
2006042112.tif 000022
【図２０】
2006042112.tif 000023
【図２１】
2006042112.tif 000024
【図２２】
2006042112.tif 000025
【図２３】
2006042112.tif 000026